(57)【要約】  通信システムのハイブリッド自動再送要求ＨＡＲＱシグナリングのための方法が開示される。この方法は、１つのリンク方向に対するリンク独立のＨＡＲＱエンティティを通信装置内で定義することを含み、その定義されるエンティティは、順方向リンク及び逆方向リンクデータの１つ以上に対するリソース割り当てを備え、そのリソース割り当ては、プロセス識別を有する少なくとも１つのＨＡＲＱプロセスを含み、各ＨＡＲＱプロセスは、独特のＨＡＲＱ識別を有し；更に、リソース割り当てに対して所定のタイミングオフセットを有するデータ割り当てを備え；更に、データ割り当てに対して所定のタイミングオフセットを有するＨＡＲＱ確認割り当てを備え、データ割り当てに対するＨＡＲＱ確認のタイミングオフセットは、順方向リンク対逆方向リンクの比とは独立して時分割デュープレックスＴＤＤフレームに関して決定される。【選択図】      図４
2015517264.tif 000002
【特許請求の範囲】
【請求項１】
通信システムのハイブリッド自動再送要求ＨＡＲＱシグナリングのための方法において、１つのリンク方向に対するリンク独立のハイブリッド自動再送要求ＨＡＲＱエンティティを通信装置(701)内で定義する(101, 901)ことを含み、その定義されるエンティティは、
順方向リンク及び逆方向リンクデータの１つ以上に対するリソース割り当てを備え、そのリソース割り当ては、プロセス識別を有する少なくとも１つのハイブリッド自動再送要求ＨＡＲＱプロセスを含み、各ハイブリッド自動再送要求ＨＡＲＱプロセスは、独特のＨＡＲＱ識別を有するものであり；
前記リソース割り当てに対して所定のタイミングオフセットを有するデータ割り当てを更に備え；及び
前記データ割り当てに対して所定のタイミングオフセットを有するハイブリッド自動再送要求ＨＡＲＱ確認割り当てを更に備え、前記データ割り当てに対するハイブリッド自動再送要求ＨＡＲＱ確認のタイミングオフセットは、順方向リンク対逆方向リンクの比とは独立して時分割デュープレックスＴＤＤフレームに関して決定される；
ことを特徴とする方法。
【請求項２】
一方がアップリンクＨＡＲＱを表わすエンティティで且つ他方がダウンリンクＨＡＲＱである２つのハイブリッド自動再送要求ＨＡＲＱエンティティを結合することにより１つのホップに対してリンク独立のハイブリッド自動再送要求ＨＡＲＱエンティティを装置内で定義することを含む、請求項１に記載の方法。
【請求項３】
融通性のある時分割デュープレックスＴＤＤコンフィギュレーションの上にＦＤＤのようなハイブリッド自動再送要求ＨＡＲＱを装置内で構築することを含む、請求項１又は２に記載の方法。
【請求項４】
順方向リンクＨＡＲＱプロセス及び逆方向リンクＨＡＲＱプロセスを各フレームに非同期で含ませることができるようにハイブリッド自動再送要求ＨＡＲＱプロセスを装置内で定義することを含む、請求項１、２又は３に記載の方法。
【請求項５】
順方向リンクＨＡＲＱコントロール信号及び逆方向リンクＨＡＲＱコントロール信号と、順方向リンクデータ信号及び逆方向リンクデータ信号が単一の時分割デュープレックスＴＤＤフレームに含まれるようにハイブリッド自動再送要求ＨＡＲＱエンティティを装置内で構築することを含む、請求項１から４のいずれかに記載の方法。
【請求項６】
各ホップがそれ自身の実行の１つ以上のＨＡＲＱループを有するようにＨＡＲＱエンティティを連鎖化することにより複数のホップに対してリンク独立のハイブリッド自動再送要求ＨＡＲＱエンティティを装置内で定義することを含み、各ノードは、当該リンクを経てＨＡＲＱをサポートするのに必要なコントロールシグナリングを送信する能力を有する、請求項１から５のいずれかに記載の方法。
【請求項７】
利用可能なＨＡＲＱプロセスの最大数は、シグナリング及び実施の制約に基づいて定義される、請求項１から６のいずれかに記載の方法。
【請求項８】
データ割り当てに対するハイブリッド自動再送要求ＨＡＲＱ確認のタイミングオフセットは、アップリンク及びダウンリンクに対して異なる仕方でセットされる、請求項１から７のいずれかに記載の方法。
【請求項９】
単一フレームに１つ以上のＨＡＲＱプロセスを装置内で割り当てることを含む、請求項１から８のいずれかに記載の方法。
【請求項１０】
少なくとも１つのプロセッサと、コンピュータプログラムコードを含む少なくとも１つのメモリとを備えた装置において、その少なくとも１つのメモリ及びコンピュータプログラムコードは、少なくとも１つのプロセッサとで、その装置(701)が、１つのリンク方向に対するリンク独立のハイブリッド自動再送要求ＨＡＲＱエンティティを定義するようにさせるよう構成され、その定義されるエンティティは、順方向リンク及び逆方向リンクデータの１つ以上に対するリソース割り当てを備え、そのリソース割り当ては、プロセス識別を有する少なくとも１つのハイブリッド自動再送要求ＨＡＲＱプロセスを含み、各ハイブリッド自動再送要求ＨＡＲＱプロセスは、独特のＨＡＲＱ識別を有するものであり；更に、前記リソース割り当てに対して所定のタイミングオフセットを有するデータ割り当てを備え；更に、前記データ割り当てに対して所定のタイミングオフセットを有するハイブリッド自動再送要求ＨＡＲＱ確認割り当てを備え、前記データ割り当てに対するハイブリッド自動再送要求ＨＡＲＱ確認のタイミングオフセットは、順方向リンク対逆方向リンクの比とは独立して時分割デュープレックスＴＤＤフレームに関して決定される；ことを特徴とする装置。
【請求項１１】
前記少なくとも１つのメモリ及びコンピュータプログラムコードは、前記少なくとも１つのプロセッサとで、前記装置が、一方が順方向リンクＨＡＲＱを表わすエンティティで且つ他方が逆方向リンクＨＡＲＱである２つのハイブリッド自動再送要求ＨＡＲＱエンティティを結合することにより１つのホップに対してリンク独立のハイブリッド自動再送要求ＨＡＲＱエンティティを定義するようにさせるよう構成される、請求項１０に記載の装置。
【請求項１２】
前記少なくとも１つのメモリ及びコンピュータプログラムコードは、前記少なくとも１つのプロセッサとで、前記装置が、融通性のある時分割デュープレックスＴＤＤコンフィギュレーションの上にＦＤＤのようなハイブリッド自動再送要求ＨＡＲＱを構築するようにさせるよう構成される、請求項１０又は１１に記載の装置。
【請求項１３】
前記少なくとも１つのメモリ及びコンピュータプログラムコードは、前記少なくとも１つのプロセッサとで、前記装置が、順方向リンクＨＡＲＱプロセス及び逆方向リンクＨＡＲＱプロセスを各フレームに非同期で含ませることができるように、ハイブリッド自動再送要求ＨＡＲＱプロセスを定義するようにさせるよう構成される、請求項１０、１１又は１２に記載の装置。
【請求項１４】
前記少なくとも１つのメモリ及びコンピュータプログラムコードは、前記少なくとも１つのプロセッサとで、前記装置が、順方向リンクＨＡＲＱコントロール信号及び逆方向リンクＨＡＲＱコントロール信号と、順方向リンクデータ信号及び逆方向リンクデータ信号が単一の時分割デュープレックスＴＤＤフレームに含まれるように、ハイブリッド自動再送要求ＨＡＲＱエンティティを構築するようにさせるよう構成される、請求項１０から１３のいずれかに記載の装置。
【請求項１５】
前記少なくとも１つのメモリ及びコンピュータプログラムコードは、前記少なくとも１つのプロセッサとで、前記装置が、各ホップがそれ自身の実行の１つ以上のＨＡＲＱループを有するようにＨＡＲＱエンティティを連鎖化することにより複数のホップに対してリンク独立のハイブリッド自動再送要求ＨＡＲＱエンティティを定義するようにさせるよう構成され、各ノードは、当該リンクを経てＨＡＲＱをサポートするのに必要なコントロールシグナリングを送信する能力を有する、請求項１０から１４のいずれかに記載の装置。
【請求項１６】
前記少なくとも１つのメモリ及びコンピュータプログラムコードは、前記少なくとも１つのプロセッサとで、前記装置が、利用可能なＨＡＲＱプロセスの最大数をシグナリング及び実施の制約に基づいて定義するようにさせるよう構成される、請求項１０から１５のいずれかに記載の装置。
【請求項１７】
前記少なくとも１つのメモリ及びコンピュータプログラムコードは、前記少なくとも１つのプロセッサとで、前記装置が、データ割り当てに対するハイブリッド自動再送要求ＨＡＲＱ確認のタイミングオフセットを、アップリンク及びダウンリンクに対して異なる仕方でセットするようにさせるよう構成される、請求項１０から１６のいずれかに記載の装置。
【請求項１８】
前記少なくとも１つのメモリ及びコンピュータプログラムコードは、前記少なくとも１つのプロセッサとで、前記装置が、単一フレームに１つ以上のＨＡＲＱプロセスを割り当てるようにさせるよう構成される、請求項１０から１７のいずれかに記載の装置。
【請求項１９】
少なくとも１つのプロセッサと、コンピュータプログラムコードを含む少なくとも１つのメモリとを備えたユーザターミナルにおいて、その少なくとも１つのメモリ及びコンピュータプログラムコードは、少なくとも１つのプロセッサとで、そのユーザターミナル(702)が、１つのリンク方向に定義されたリンク独立のハイブリッド自動再送要求ＨＡＲＱエンティティに関連したフィードバックを受け取り及び与えるようにさせるよう構成され、そのエンティティは、順方向リンク及び逆方向リンクデータの１つ以上に対するリソース割り当てを備え、そのリソース割り当ては、プロセス識別を有する少なくとも１つのハイブリッド自動再送要求ＨＡＲＱプロセスを含み、各ハイブリッド自動再送要求ＨＡＲＱプロセスは、独特のＨＡＲＱ識別を有するものであり；更に、前記リソース割り当てに対して所定のタイミングオフセットを有するデータ割り当てを備え；更に、前記データ割り当てに対して所定のタイミングオフセットを有するハイブリッド自動再送要求ＨＡＲＱ確認割り当てを備え、前記データ割り当てに対するハイブリッド自動再送要求ＨＡＲＱ確認のタイミングオフセットは、順方向リンク対逆方向リンクの比とは独立して時分割デュープレックスＴＤＤフレームに関して決定される；ことを特徴とするユーザターミナル。
【請求項２０】
コンピュータにおいてプログラムが実行されるとき請求項１から９のいずれかに記載のステップのいずれか１つを遂行するようにされたプログラムコード手段を含むコンピュータプログラム製品。
【発明の詳細な説明】
【技術分野】
【０００１】
本発明は、一般的に、ワイヤレス通信ネットワークに関するもので、より特定すれば、ハイブリッド自動再送要求（ＨＡＲＱ）シグナリングに関する。
【背景技術】
【０００２】
背景技術の以下の説明は、本発明以前に関連技術で知られておらずに本発明により提供される開示と一緒に、洞察力、発見、理解又は開示、或いは連想を含む。本発明のそのようなある貢献は、以下に特に指摘される一方、本発明の他のそのような貢献は、それらの文脈から明らかとなろう。
【０００３】
ハイブリッド自動再送要求（ハイブリッドＡＲＱ又はＨＡＲＱ）は、高レート順方向エラー修正コードと、検出可能であるが修正不能なエラーのためのＡＲＱエラーコントロールとの組み合わせである。ハイブリッドＡＲＱでは、ＡＲＱに依存しながらエラーのサブセットを修正することで順方向エラー修正及びエラー検出を遂行し、最初の送信で送られた冗長性のみを使用して修正不能なエラーを修正するようにコードが使用される。ＬＴＥにおけるＨＡＲＱは、ストップ・アンド・ウェイトＨＡＲＱ手順を使用することをベースとする。ｅＮｏｄｅ−Ｂからパケットが送信されると、ＵＥは、それをデコードし、ＰＵＣＣＨにフィードバックを与える。アップリンク側でも同様の手順が実行され、ＵＥからパケットが送信されて、ｅＮｏｄｅ−Ｂがそれをデコードし、そしてＰＨＩＣＨ（物理的ＨＡＲＱインジケータチャンネル）にフィードバックを与える。
【発明の概要】
【０００４】
本発明の幾つかの態様を基本的に理解するために本発明の簡単な概要を以下に述べる。この概要は、本発明の広範囲な概略ではない。これは、本発明の鍵となる／重要な要素を識別するものでもないし、又、本発明の範囲を定めるものでもない。その唯一の目的は、本発明の幾つかの概念を、以下の詳細な説明に対する序文として簡単な形態で表わすことである。
【０００５】
本発明の種々の態様は、独立請求項に規定する方法、装置及びコンピュータプログラム製品を包含する。本発明の更に別の実施形態は、従属請求項に開示される。
【０００６】
本発明の１つの態様は、通信システムのハイブリッド自動再送要求ＨＡＲＱシグナリングのための方法において、１つのリンク方向に対するリンク独立のハイブリッド自動再送要求ＨＡＲＱエンティティを通信装置内で定義することを含み、その定義されるエンティティは、順方向リンク及び逆方向リンクデータの１つ以上に対するリソース割り当てを備え、そのリソース割り当ては、プロセス識別を有する少なくとも１つのハイブリッド自動再送要求ＨＡＲＱプロセスを含み、各ハイブリッド自動再送要求ＨＡＲＱプロセスは、独特のＨＡＲＱ識別を有するものであり；更に、リソース割り当てに対して所定のタイミングオフセットを有するデータ割り当てを備え；更に、データ割り当てに対して所定のタイミングオフセットを有するハイブリッド自動再送要求ＨＡＲＱ確認割り当てを備え、データ割り当てに対するハイブリッド自動再送要求ＨＡＲＱ確認のタイミングオフセットは、順方向リンク対逆方向リンクの比とは独立して時分割デュープレックスＴＤＤフレームに関して決定される、方法に関する。
【０００７】
本発明の更に別の態様は、少なくとも１つのプロセッサと、コンピュータプログラムコードを含む少なくとも１つのメモリとを備えた装置において、その少なくとも１つのメモリ及びコンピュータプログラムコードは、少なくとも１つのプロセッサとで、その装置が、１つのリンク方向に対するリンク独立のハイブリッド自動再送要求ＨＡＲＱエンティティを定義するようにさせるよう構成され、その定義されるエンティティは、順方向リンク及び逆方向リンクデータの１つ以上に対するリソース割り当てを備え、そのリソース割り当ては、プロセス識別を有する少なくとも１つのハイブリッド自動再送要求ＨＡＲＱプロセスを含み、各ハイブリッド自動再送要求ＨＡＲＱプロセスは、独特のＨＡＲＱ識別を有するものであり；更に、リソース割り当てに対して所定のタイミングオフセットを有するデータ割り当てを備え；更に、データ割り当てに対して所定のタイミングオフセットを有するハイブリッド自動再送要求ＨＡＲＱ確認割り当てを備え、データ割り当てに対するハイブリッド自動再送要求ＨＡＲＱ確認のタイミングオフセットは、順方向リンク対逆方向リンクの比とは独立して時分割デュープレックスＴＤＤフレームに関して決定される、装置に関する。
【０００８】
本発明の更に別の態様は、少なくとも１つのプロセッサと、コンピュータプログラムコードを含む少なくとも１つのメモリとを備えたユーザターミナルにおいて、その少なくとも１つのメモリ及びコンピュータプログラムコードは、少なくとも１つのプロセッサとで、そのユーザターミナルが、１つのリンク方向に定義されたリンク独立のハイブリッド自動再送要求ＨＡＲＱエンティティに関連したフィードバックを受け取り及び与えるようにさせるよう構成され、そのエンティティは、順方向リンク及び逆方向リンクデータの１つ以上に対するリソース割り当てを備え、そのリソース割り当ては、プロセス識別を有する少なくとも１つのハイブリッド自動再送要求ＨＡＲＱプロセスを含み、各ハイブリッド自動再送要求ＨＡＲＱプロセスは、独特のＨＡＲＱ識別を有するものであり；更に、リソース割り当てに対して所定のタイミングオフセットを有するデータ割り当てを備え；更に、データ割り当てに対して所定のタイミングオフセットを有するハイブリッド自動再送要求ＨＡＲＱ確認割り当てを備え、データ割り当てに対するハイブリッド自動再送要求ＨＡＲＱ確認のタイミングオフセットは、順方向リンク対逆方向リンクの比とは独立して時分割デュープレックスＴＤＤフレームに関して決定される、ユーザターミナルに関する。
【０００９】
本発明の更に別の態様は、コンピュータにおいてプログラムが実行されるとき前記方法ステップのいずれか１つを遂行するようにされたプログラムコード手段を含むコンピュータプログラム製品に関する。
【００１０】
以下、添付図面を参照して、本発明の規範的な実施形態を詳細に説明する。
【図面の簡単な説明】
【００１１】
【図１】ＬＴＥ−ＦＤＤ及びＬＴＥ−ＴＤＤのＨＡＲＱタイミング図である。
【図２】ＴＤＤに対するＵＬ／ＤＬコンフィギュレーション及びダウンリンク関連セットインデックスを示す。
【図３】個別のホップ特有ＨＡＲＱエンティティを含むマルチホップシナリオを示す。
【図４】規範的なＵＬ及びＤＬ  ＨＡＲＱシグナリングを示す。
【図５】規範的なＨＡＲＱタイミングを示す。
【図６】ＤＬマルチホップシナリオの規範的なタイミング図である。
【図７】規範的なシステムアーキテクチャーを示す簡単なブロック図である。
【図８】規範的な装置を示す簡単なブロック図である。
【図９】本発明の一実施形態による規範的なメッセージングイベントを示すメッセージング図である。
【図１０】本発明の規範的な実施形態に基づくフローチャートの概略図である。
【図１１】本発明の別の規範的な実施形態に基づくフローチャートの概略図である。
【発明を実施するための形態】
【００１２】
規範的な実施形態は、ビヨンド４Ｇ（Ｂ４Ｇ）無線システムに関する。しかしながら、規範的な実施形態は、新規リリース内のＬＴＥの進化に導入されてもよい。又、規範的な実施形態は、時分割デュープレックス（ＴＤＤ）ベースのローカルエリア無線システムにおけるハイブリッド自動再送要求（ＨＡＲＱ）フィードバック遅延を最小にする構成に関する。更に別の規範的な実施形態は、受信端における減少サイズのＨＡＲＱソフトバッファにより基本帯域の複雑さを最小にすることに関する。
【００１３】
ＬＴＥアドバンストにおけるＨＡＲＱは、リンク適応エラーのような非理想的状態に対する頑健さを与えると共に、ＢＬＥＲ動作点の増加を許すことによりスループット利得を与えることができる。しかしながら、従来のＴＤＤ  ＬＴＥアドバンスト（ＴＤ−ＬＴＥとも称される）では、ＨＡＲＱは、著しい複雑さを導入する。ＨＡＲＱタイミングは、複雑なサブシステムであり、その結果、レイテンシー性能が、周波数分割デュープレックス（ＦＤＤ）ＬＴＥに比して悪く、変化し得る。〜１ｍｓの厳密なレイテンシーターゲットが定義されているＢ４Ｇ無線システムでは、レイテンシーの改善が極めて適切である。
【００１４】
ワイドエリアセルラーシステムとは異なり、ローカルエリア無線システムは、利用できる付加的な帯域巾の利点を取り入れるため、古典的演算子配備及び共有スペクトル使用、ライセンス免除スペクトル又はホワイトスペースを含むローカルアクセスのみの周波数帯域を使用することができる。更に、ローカルエリアシステムは、アドホックネットワークを確立するために効率的な装置対装置の動作モードを提供することができる。又、ローカルエリア環境は、遅延が最適化された無線システム設計を可能とし、ひいては、ＨＡＲＱ再送信遅延を従来のＬＴＥ／ＬＴＥアドバンストレベルから減少することができる（ＲＴＴは、ＦＤＤモードにおいて１０ｍｓ程度である）。柔軟なＴＤＤコンフィギュレーションに加えて効率的で且つ綺麗なＨＡＲＱを達成するためには、物理的なＨＡＲＱ構造及びＬＴＥアドバンストＴＤＤ無線に対して変更が必要である。
【００１５】
時分割デュープレックス（ＴＤＤ）ＬＴＥフレームがＬＴＥフレーム構造タイプ２の上に構築される。ほとんどのケースでは、ＦＤＤ解決策がＴＤＤサイズへコピーされるだけであり、そしてＴＤＤ特有の変化が最小にされるので、従来のＬＴＥ−ＴＤＤでは著しく大きなＴＤＤ最適化は得られない。又、これは、ＬＴＥ  ＴＤＤ  ＨＡＲＱ構造、関連レイテンシー及び複雑さにも影響を及ぼす。
【００１６】
図１は、ＨＡＲＱ遅延をＬＴＥ  ＦＤＤ（ａ）及びＴＤＤ（ｂ）に示し、ＬＴＥ−ＦＤＤ及びＬＴＥ−ＴＤＤのＨＡＲＱタイミング図が示されている。図２は、ＴＤＤに対するＵＬ／ＤＬコンフィギュレーション及びダウンリンク関連セットインデックスを示し、ＬＴＥ−ＴＤＤに対する関連アップリンク／ダウンリンク（ＵＬ／ＤＬ）コンフィギュレーション及びＨＡＲＱダウンリンク関連セットインデックスが示されている。ＴＤＤは、遅延性能の観点からＦＤＤより課題が大きいことが明らかである。
【００１７】
慣習的なＡＰ／ｅＮＢ←→ＵＥ通信では、リンクの方向ＵＬ及びＤＬが充分に定義されている。しかしながら、規範的な実施形態が等しく有効であるＤ２Ｄ又はＡＰ２ＡＰ通信のケースでは、リンクの方向が同様に定義されなくてもよい。例えば、ＤＬ及びＵＬは、「送信」及び「受信」段階により示され、Ｔｘ及びＲｘ段階は、データ転送の２つのネットワークノード（ソース及び行先ノード）に対して逆である。従って、「アップリンク」及び「ダウンリンク」ではなくて、「順方向リンク」及び「逆方向リンク」のようなより一般的な用語が使用される。
【００１８】
ＬＴＥ−ＦＤＤにおけるＨＡＲＱ再送信遅延が常に８ｍｓであるときには、ＬＴＥ−ＴＤＤは、利用できないＵＬ／ＤＬのために付加的な遅延成分で悩まされている。従って、ＨＡＲＱ再送信遅延（≧８ｍｓ）は、リンクの方向、サブフレーム番号、及びＵＬ／ＤＬコンフィギュレーションに基づいて変化する。ＨＡＲＱタイミングは、複雑なサブシステムであり、ＦＤＤに比して変化する悪いレイテンシー性能を生じさせる。これは、マルチホップ通信に加えてＨＡＲＱを考慮すると、将来の使用ケースでは更に非常に複雑なものとなる。
【００１９】
ＴＤＤ  ＬＴＥアドバンストでは、ＨＡＲＱの構造及びタイミングは、ＦＤＤのように一定ではない。ＨＡＲＱのプロセス及びタイミングは、異なるＵＬ／ＤＬコンフィギュレーション及びサブフレーム構造に対して別々に設計される。ＨＡＲＱプロセスの数は、ＵＬ／ＤＬコンフィギュレーションに依存し、ＤＬに対して１５までのＨＡＲＱプロセス、及びＵＬに対して８までのプロセスが定義されている。ＰＨＩＣＨ（ＵＬ  ＨＡＲＱ  ＡＣＫ／ＮＡＣＫ）、ＰＵＣＣＨ及びＰＵＳＣＨ（ＤＬ  ＨＡＲＱ  ＡＣＫ／ＮＡＣＫ）に対して異なるタイミングテーブルが定義されている。各ＴＤＤコンフィギュレーションに対する厳密なＨＡＲＱタイミング関係が定義されている。
【００２０】
高速ＴＤＤアクセス及び完全に融通性のあるＵＬ／ＤＬスイッチングを可能にするフレーム構造、即ち高速ＵＬ／ＤＬスイッチング及び完全に融通性のあるＵＬ／ＤＬ比をサポートするＴＤＤフレーム構造が提案されている。この提案された融通性のあるＴＤＤフレーム構造は、規範的実施形態によるＨＡＲＱスキームの基礎として使用される。
【００２１】
規範的な実施形態は、融通性のあるＴＤＤコンフィギュレーションに加えて低いレイテンシーをサポートする綺麗な（即ち「ＦＤＤのような」）ＨＡＲＱを得ることができる。又、規範的な実施形態は、フレームベースのＨＡＲＱタイミングをもつリンク独立のＨＡＲＱシグナリングと、ＵＬ及びＤＬの両ＨＡＲＱプロセスを各フレームにおいて非同期で行う可能性をもつＨＡＲＱプロセスとを含む。
【００２２】
規範的な実施形態によれば、１ホップ及び１リンク方向に対するリンク独立のＨＡＲＱエンティティは、次のエレメントを備えている。
−ＵＬ又はＤＬデータに対するリソース割り当て（規範的な実施形態では、リソース割り当てシグナリングは、ＵＬ及びＤＬの両リソース割り当てを単一リソース割り当てグランとメッセージにおいて搬送する）。割り当てられるリソース（ＵＬ又はＤＬ）は、プロセスＩＤをもつ少なくとも１つのＨＡＲＱプロセスより成り、各ＨＡＲＱプロセスは、それ自身のＨＡＲＱ  ＩＤを有する。利用可能なＨＡＲＱプロセスの最大数は、シグナリング及び実施制約により上限が決められる。
−リソース割り当てに関して既定のタイミングオフセットをもつデータ割り当て。そのオフセットは、ＵＬ及びＤＬについて異なる仕方でセットされる。
−データ割り当てに関して所定のタイミングオフセットをもつＨＡＲＱ−ＡＣＫリソース割り当て。
−データ割り当て及びＨＡＲＱ−ＡＣＫに対するタイミングオフセットは、ＵＬ／ＤＬの比とは独立してフレームに関して定義される。
【００２３】
規範的な実施形態では、１つ以上の（ＵＬ又はＤＬ）ＨＡＲＱプロセスを単一のフレームに割り当てることができる。これは、動的なＵＬ／ＤＬ割り当ての融通性を改善する。
【００２４】
規範的な実施形態では、２つのＨＡＲＱをフレームにもたせることができる。これらのプロセスは、一方がＵＬ及び他方がＤＬ、両方ともＤＬ、又は両方ともＵＬ、という異なる仕方で割り当てられる。
【００２５】
規範的な実施形態によるＨＡＲＱエンティティは、ＵＬ及びＤＬの両コントロール信号（リソース割り当て及びＨＡＲＱ−ＡＣＫ）並びにＵＬ及びＤＬデータ信号を単一のＴＤＤフレームにもたせることができるようにして、融通性のあるＴＤＤフレーム構造の上に構築される。
【００２６】
単一ホップに対する全ＨＡＲＱシステムは、ＵＬ及びＤＬのＨＡＲＱを表わす２つのＨＡＲＱエンティティを結合することにより得られる。又、規範的な構成は、マルチホップ通信のための効率的なＨＡＲＱを促進するようにＨＡＲＱエンティティを連鎖させることも許す（例えば、メッシュネットワーク、ＵＥを経てリレー、マルチホップリレー）。規範的な実施形態では、各ホップがそれ自身のＨＡＲＱループを実行し、そして規範的なシグナリング構成では、当該リンクを経て完全に成熟したＨＡＲＱをサポートするのに必要なコントロールシグナリングを送信する能力を各ノードが有するように注意が払われる。個別のホップ特有のＨＡＲＱエンティティを含むマルチホップシナリオが図３に示されている。図３は、ホップごとに個別のＨＡＲＱループを含むマルチホップシナリオを示す。単一のリンク方向に対応するデータ送信のみが図３に示されている。ＵＥ２がＵＥ１を経てデータを送信する場合には、同様のループが必要となる。
【００２７】
規範的な実施形態は、融通性のあるＴＤＤコンフィギュレーションの上で綺麗な（ＦＤＤのような）リンク独立のＨＡＲＱを可能にする。規範的なＨＡＲＱエンティティは、高速ＴＤＤアクセス及び完全に融通性のあるＵＬ／ＤＬスイッチングを可能にする融通性のあるＴＤＤフレーム構造の上に構築される。融通性のあるＴＤＤフレーム構造では、ＵＬ及びＤＬの両コントロール信号（リソース割り当て及びＨＡＲＱ−ＡＣＫ）、並びにＵＬ及びＤＬデータ信号を単一のＴＤＤフレームにもたせることができる。規範的なフレーム構造を使用することにより、ＵＬ／ＤＬの比をフレーム内で調整し、そして最も重要なＵＬ／ＤＬシグナリングを、クロスリンク干渉がないように保つことができる。
【００２８】
規範的な実施形態では、融通性のあるＴＤＤフレーム構造の特徴は、（１ホップ及び１リンク方向に対して）次の要素を含む規範的なリンク独立のＨＡＲＱエンティティを設計するのに使用される（規範的なＵＬ＆ＤＬ  ＨＡＲＱシグナリングを示す図４を参照されたい）。
・ＵＬ又はＤＬデータ（スケジューリンググラント）に対するリソース割り当て。割り当てられるリソース（ＵＬ又はＤＬ）は、プロセスＩＤをもつ少なくとも１つのＨＡＲＱプロセスを含み、各ＨＡＲＱプロセスは、独特のＨＡＲＱ識別を有する。複数のＨＡＲＱプロセスを含むマルチＴＴＩスケジューリングもサポートされる。
・リソース割り当てに対して既定のタイミングオフセットを持つＵＬ又はＤＬデータ割り当て。そのオフセットは、ＵＬ及びＤＬについて異なる仕方でセットされる（オフセットは、図４の規範的な状態では、ＤＬグラントではゼロであり、ＵＬグラントでは１フレームである）。
・データ割り当てに関して所定のタイミングオフセットをもつＨＡＲＱ−ＡＣＫリソース割り当て（オフセットは、図４の例では、２フレームである）。ＨＡＲＱ−ＡＣＫリソースは、ＵＬ／ＤＬリソース割り当ての一部分としてシグナリングされる（明確に又は暗示的に）。
・データ割り当て及びＨＡＲＱ−ＡＣＫに対するタイミングオフセットは、ＵＬ／ＤＬの比とは独立して定義される。融通性のあるＴＤＤフレーム構造は、ＵＬ及びＤＬの両コントロール信号を単一のフレームに有するので、ＨＡＲＱタイミングは、図４に示すように、固定であり、フレームでカウントされる。換言すれば、タイミングは、ＦＤＤの原理に従う。
【００２９】
融通性のあるＴＤＤフレーム構造は、ＵＬ及びＤＬの両コントロール信号、並びにＵＬ及びＤＬのデータ信号を単一のＴＤＤフレームの有するので、規範的な実施形態によるＨＡＲＱシグナリングは、データリンク方向とは独立している。これは、ＬＴＥアドバンスト（ＴＤ−ＬＴＥ）の従来のリンク依存ＨＡＲＱに比して顕著な向上である。
【００３０】
規範的な実施形態によるＨＡＲＱスキームは、各フレームがＵＬプロセス及びＤＬプロセスの両方を含むように設計される。図５は、規範的なＨＡＲＱタイミングを示すもので、ＵＬ及びＤＬの両方に対して規範的なＨＡＲＱタイミングが与えられている。ＵＬ及びＤＬの両ＨＡＲＱは、非同期であるように設計される。１つのフレームにＵＬ及びＤＬのＨＡＲＱプロセスが存在することは、使用するＵＬ／ＤＬの比に基づき必要に応じて決定される。ｅＮＢは、１つ以上の（ＵＬ又はＤＬ）ＨＡＲＱプロセスを単一のフレームに割り当てることができる（図５には示さず）。
【００３１】
規範的な実施形態によるＨＡＲＱ構成は、そのリンク独立性のために、メッシュネットワーク、ＵＥを経てリレー、マルチホップリレー、等のマルチホップシナリオにも適している。規範的な実施形態によるＨＡＲＱスキームは、各ホップ（ＤＬ＆ＵＬに含まれる）がそれ自身のＨＡＲＱループを有するようにＨＡＲＱエンティティを連鎖させることができる。図６は、マルチホップシナリオのＤＬ  ＨＡＲＱタイミング例を示し、２つのホップを含む（図３を参照）ＤＬマルチホップシナリオの規範的なタイミング図が示されている。このシナリオでは、ＵＥ０は、ＵＥ１を経てＵＥ２へデータを送る（対ＵＥ０←→ＵＥ１及びＵＥ１←→ＵＥ２間の単一ホップデータ送信に加えて）。従って、ＵＥ０及びＵＥ１は、第１ホップ特有のＨＡＲＱループを使用し、そして第２ホップ特有のＨＡＲＱループがＵＥ１とＵＥ２との間に使用される。実際にＵＥ２をターゲットとして第１ホップＨＡＲＱプロセスで送信されたデータは、そのデータが第１ホップＨＡＲＱループに正しく受信されて確認されるや否や、ＵＥ１により第２ホップＨＡＲＱループへ転送される。異なるホップのＨＡＲＱエンティティは、ループにおけるＨＡＲＱプロセスの数、データ割り当て及びＨＡＲＱ−ＡＣＫのためのタイミングオフセット、等の異なるコンフィギュレーションを有する。
【００３２】
規範的な実施形態によるＨＡＲＱスキームは、融通性のあるＴＤＤコンフィギュレーションの上に綺麗な（ＦＤＤのような）簡単なリンク独立のＨＡＲＱ機能をサポートする。規範的な構成では、ＦＤＤ及びＴＤＤモードの類似性を最大にすることができる。ＴＤＤＨＡＲＱシグナリングのタイミングは、ＵＬ／ＤＬの比に依存しない。ＨＡＲＱタイミングは、固定であり、フレームでカウントされる。ＨＡＲＱ−ＡＣＫリソースのサイズは、固定とされる（即ち、ＵＬ／ＤＬの比とは独立して）。これは、ＴＤ−ＬＴＥに比して明らかな改善である。各フレームは、ＵＬ及びＤＬのＨＡＲＱプロセスを非同期で含むことができる。規範的な実施形態では、２つ以上の（ＵＬ、ＤＬ又は両方の）ＨＡＲＱプロセスを単一フレームに許すことにより融通性のあるＵＬ／ＤＬ割り当ての利益を完全に取り入れることができる。規範的な実施形態では、マルチホップ通信の場合に、半デュープレックス装置に対してＦＤＤとは異なるＨＡＲＱを可能にする。規範的な実施形態は、（ＬＴＥアドバンストに比して）より少数のＨＡＲＱプロセスの使用を可能にする。これは、受信器のＨＡＲＱバッファが少なくてよいので、レイテンシーだけでなく、メモリの消費も減少する。これは、そうでなければ、１０Ｇビット／ｓのピークデータレートが顕著な装置メモリ必要性を生じさせるＢ４Ｇシステムにおける大きな改善と考えられる。
【００３３】
本発明の全部ではなく幾つかの実施形態が示された添付図面を参照して、規範的な実施形態を以下に詳細に説明する。実際に、本発明は、多数の異なる形態で実施でき、ここに述べる実施形態に限定されると解釈されてはならず、むしろ、これらの実施形態は、この開示が適用法的要件を満足するように設けられたものである。本明細書の多数の位置に、「一」「１つの」又は「ある」実施形態が言及されるが、これは、必ずしも、そのような各言及が同じ実施形態を指すこと又はその特徴が単一の実施形態のみに適用されることを意味していない。又、異なる実施形態の単一の特徴を結合して、他の実施形態を形成することもできる。全体を通じて同じ要素を指すのに同じ参照番号が使用される。
【００３４】
本発明は、ユーザターミナル、ネットワークノード、サーバー、対応コンポーネント、及び／又はＨＡＲＱシグナリングをサポートする通信システム又は異なる通信システムの組み合わせに適用することができる。通信システムは、固定の通信システム、又はワイヤレス通信システム、又は固定及びワイヤレスの両ネットワークを使用する通信システムである。使用するプロトコル、特に、ワイヤレス通信における通信システム、サーバー及びユーザターミナルの仕様は、急速に進展する。そのような進展は、実施形態に対して特別な変更を要求する。それ故、全ての語及び表現は、広く解釈されねばならず、又、実施形態を限定するのではなく例示するものであることが意図される。
【００３５】
以下、実施形態が適用されるシステムアーキテクチャーの一例として、ＬＴＥ（長期進化）ネットワーク要素に基づくアーキテクチャーを使用して異なる実施形態について説明するが、その実施形態は、そのようなアーキテクチャーに限定されるものではない。これらの例で述べる実施形態は、ＬＴＥ無線システムに限定されず、ＵＭＴＳ（ユニバーサル移動テレコミュニケーションズシステム）、ＧＳＭ（登録商標）、ＥＤＧＥ、ＷＣＤＭＡ（登録商標）、ブルーツースネットワーク、ＷＬＡＮ、或いは他の固定、移動又はワイヤレスネットワークのような他の無線システムにおいて実施することもできる。一実施形態において、ここに提示される解決策は、ＬＴＥ及びＵＭＴＳのような、異なるが互換性のあるシステムに属する要素間に適用される。
【００３６】
通信システムの一般的アーキテクチャーが図７に示されている。図７は、幾つかの要素及び機能的エンティティのみを示す簡単なシステムアーキテクチャーであり、それら要素及びエンティティは、全て、図示されたものとは異なるように実施されてもよい論理的ユニットである。図７に示す接続は、論理的接続であり、実際の物理的接続は、異なるものでもよい。又、当業者であれば、このシステムは、他の機能及び構造を含んでもよいことが明らかであろう。グループ通信に使用される機能、構造、要素及びプロトコルは、実際の発明には関係がないことが明らかであろう。それ故、それらは、ここで詳細に説明する必要がなかろう。
【００３７】
図７の規範的な無線システムは、ネットワークオペレータのネットワークノード７０１を備えている。このネットワークノード７０１は、例えば、ＬＴＥ（及び／又はＬＴＥ−Ａ）ベースステーション（ｅＮＢ）、ベーストランシーバステーション（ＢＳ、ＢＴＳ）、アクセスポイント（ＡＰ）、無線ネットワークコントローラ（ＲＮＣ）、移動交換センター（ＭＳＣ）、ＭＳＣサーバー（ＭＳＳ）、移動管理エンティティ（ＭＭＥ）、ゲートウェイＧＰＲＳサポートノード（ＧＧＳＮ）、サービングＧＰＲＳサポートノード（ＳＧＳＮ）、ホーム位置レジスタ（ＨＬＲ）、ホーム加入者サーバー（ＨＳＳ）、ビジター位置レジスタ（ＶＬＲ）又は他のネットワーク要素、或いはネットワーク要素の組み合わせを含む。ネットワークノード６０１は、インターフェイス（図７には示さず）を経て１つ以上の更に別のネットワーク要素に接続される。図７において、無線システムのｅＮＢ（エンハンストノードＢ、進化型ノードＢ）とも称される無線ネットワークノード７０１は、公衆地上移動ネットワークにおける無線リソース管理のための機能をホストする。図７は、無線ネットワークノード７０１のサービスエリアに位置する１つ以上のユーザ装置７０２を示す。このユーザ装置は、ポータブルコンピューティング装置を指し、又、ユーザターミナルとも称される。そのようなコンピューティング装置は、ハードウェア又はソフトウェアの加入者識別モジュール（ＳＩＭ）を伴ったり伴わなかったりして動作するワイヤレス移動通信装置を含み、これは、次の形式の装置、即ち、移動電話、スマートホン、パーソナルデジタルアシスタント（ＰＤＡ）、ハンドセット、ラップトップコンピュータを含むが、それに限定されない。図７の例示的状況では、ユーザ装置７０２は、接続７０３を経て無線ネットワークノード７０１に接続することができる。
【００３８】
図８は、本発明の実施形態による装置のブロック図である。図８は、無線ネットワークノード７０１のエリアに配置されたユーザ装置７０２を示す。ユーザ装置７０２は、無線ネットワークノード７０１に接続するように構成される。ユーザ装置又はＵＥ７０２は、メモリ８０２及びトランシーバ８０３に作動的に接続されたコントローラ８０１を備えている。コントローラ８０１は、ユーザ装置７０２の動作をコントロールする。メモリ８０２は、ソフトウェア及びデータを記憶するように構成される。トランシーバ８０３は、無線ネットワークノード７０１へのワイヤレス接続７０３を設定し及び維持するように構成される。トランシーバ８０３は、アンテナ構成体８０５に接続された１組のアンテナポート８０４に作動的に接続される。アンテナ構成体８０５は、１組のアンテナを含む。アンテナの数は、例えば、１から４である。アンテナの数は、特定の数に限定されない。ユーザ装置７０２は、ユーザインターフェイス、カメラ及びメディアプレーヤのような種々の他のコンポーネントも含む。それらは、簡単化のために図示されていない。ＬＴＥ（ＬＴＥ−Ａ）ベースステーション（ｅＮｏｄｅ−Ｂ、ｅＮＢ）又はアクセスポイント（ＡＰ）のような無線ネットワークノード７０１は、メモリ８０７に作動的に接続されたコントローラ８０６、及びトランシーバ８０８を備えている。コントローラ８０６は、無線ネットワークノード７０１の動作をコントロールする。メモリ８０７は、ソフトウェア及びデータを記憶するように構成される。トランシーバ８０８は、無線ネットワークノード７０１のサービスエリア内のユーザ装置７０２へのワイヤレス接続を設定し及び維持するように構成される。トランシーバ８０８は、アンテナ構成体８０９に作動的に接続される。アンテナ構成体８０９は、１組のアンテナを含む。アンテナの数は、例えば、２から４である。アンテナの数は、特定の数に限定されない。無線ネットワークノード７０１は、通信システムの別のネットワーク要素（図８には示さず）、例えば、無線ネットワークコントローラ（ＲＮＣ）、移動管理エンティティ（ＭＭＥ）、ＭＳＣサーバー（ＭＳＳ）、移動交換センター（ＭＳＣ）、無線リソース管理（ＲＲＭ）ノード、ゲートウェイＧＰＲＳサポートノード、オペレーション、アドミニストレーション及びメンテナンス（ＯＡＭ）ノード、ホーム位置レジスタ（ＨＬＲ）、ビジター位置レジスタ（ＶＬＲ）、サービングＧＰＲＳサポートノード、ゲートウェイ、及び／又はサーバーに作動的に接続される（直接的又は間接的に）。しかしながら、これら実施形態は、一例として上述したネットワークに限定されず、当業者であれば、必要な特性が設けられた他のネットワークにこの解決策を適用することができるであろう。例えば、異なるネットワーク要素間の接続は、インターネットプロトコル（ＩＰ）接続で実現されてもよい。
【００３９】
装置７０１、７０２が１つのエンティティとして示されたが、異なるモジュール及びメモリが１つ以上の物理的又は論理的エンティティとして実施されてもよい。又、装置は、装置の断片であるユーザターミナルでもよいし、或いはユーザターミナル及びそのユーザを契約に関連付け又は関連付けるように構成されそしてユーザが通信システムと対話するのを許す装置であってもよい。ユーザターミナルは、ユーザに情報を提示し、そしてユーザが情報を入力できるようにする。換言すれば、ユーザターミナルは、ネットワークから情報を受信し及び／又はネットワークへ情報を送信することのできるターミナルで、ネットワークにワイヤレスで接続でき又は固定接続を経て接続することができる。ユーザターミナルは、例えば、パーソナルコンピュータ、ゲームコンソール、ラップトップ（ノートブック）、パーソナルデジタルアシスタント、移動ステーション（移動電話）、スマートホン、及びライン電話を含む。
【００４０】
装置７０１、７０２は、一般的に、プロセッサ、コントローラ、コントロールユニット、等を備え、これらは、メモリに接続されると共に装置の種々のインターフェイスに接続される。一般的に、プロセッサは、中央処理ユニットであるが、付加的な動作プロセッサでもよい。又、プロセッサは、コンピュータプロセッサ、特定用途向け集積回路（ＡＳＩＣ）、フィールドプログラマブルゲートアレイ（ＦＰＧＡ）、及び／又は本発明の実施形態の１つ以上の機能を遂行するようにプログラムされた他のハードウェアコンポーネントを含む。
【００４１】
メモリ８０２、８０７は、揮発性及び／又は不揮発性メモリを含み、典型的に、コンテンツ、データ、等を記憶する。例えば、メモリ８０２、８０７は、プロセッサが本発明の実施形態による装置のオペレーションに関連したステップを遂行するためにソフトウェアアプリケーション（例えば、検出ユニット及び／又は調整ユニットのための）又はオペレーティングシステム、情報、データ、コンテンツ、等を記憶する。メモリは、例えば、ランダムアクセスメモリ（ＲＡＭ）、ハードドライブ、又は他の固定データメモリ又は記憶装置である。更に、メモリ又はその一部分は、装置に着脱可能に接続された取り外し可能なメモリである。
【００４２】
ここに述べる技術は、一実施形態で述べた対応する移動エンティティの１つ以上の機能を実施する装置が、従来の手段を備えるだけでなく、一実施形態で述べた対応する装置の１つ以上の機能を実施する手段も備え、そして各個別の機能のための個別の手段を備えるか、又は２つ以上の機能を遂行するための手段が構成されるように、種々の手段によって実施されてもよい。例えば、これらの技術は、ハードウェア（１つ以上の装置）、ファームウェア（１つ以上の装置）、ソフトウェア（１つ以上のモジュール）、又はその組み合わせで実施される。ファームウェア又はソフトウェアについては、ここに述べる機能を遂行するモジュール（例えば、手順、機能、等）を通して実施することができる。ソフトウェアコードは、適当なプロセッサ／コンピュータ読み取り可能なデータ記憶媒体又はメモリユニット或いは製造物品に記憶され、そして１つ以上のプロセッサ／コンピュータにより実行される。データ記憶媒体又はメモリユニットは、プロセッサ／コンピュータの内部又はプロセッサ／コンピュータの外部で実施され、この場合、従来技術で良く知られたように、種々の手段を経てプロセッサ／コンピュータに通信結合される。
【００４３】
図９のシグナリングチャートは、必要なシグナリングを示す。図９の例では、ネットワーク装置７０１（例えば、ＬＴＥケーパブル（及び／又はＬＴＥ−Ａケーパブル）ベースステーション（ｅＮｏｄｅ−Ｂ）又はＷＬＡＮアクセスポイント（ＡＰ）を含む）は、ステップ９０１において、１つのリンク方向に対してリンク独立のハイブリッド自動再送要求ＨＡＲＱエンティティを定義する。その定義されたエンティティは、アップリンク及びダウンリンクデータの１つ以上に対するリソース割り当てを備え、そのリソース割り当ては、プロセス識別を有する少なくとも１つのハイブリッド自動再送要求ＨＡＲＱプロセスを含み、各ＨＡＲＱプロセスは、独特のＨＡＲＱ識別を有し；更に、リソース割り当てに対して所定のタイミングオフセットを有するデータ割り当てを備え；更に、データ割り当てに対して所定のタイミングオフセットを有するハイブリッド自動再送要求ＨＡＲＱ確認割り当てを備え、データ割り当てに対するハイブリッド自動再送要求ＨＡＲＱ確認のタイミングオフセットは、アップリンク対ダウンリンクの比とは独立して時分割デュープレックスＴＤＤフレームに関して決定される。タイミング関係は、規格により既定される。又、ネットワーク装置７０１は、タイミング関係を構成する能力を有することもできる。これは、例えば、システム情報又はビーコン信号（図９には示さず）に含まれる適切なシグナリングにより実現することができる。従って、ネットワーク装置７０１は、適用すべきＨＡＲＱエンティティを定義し、そしてその定義に基づいてデータ送信及び受信を遂行する。従って、ステップ９０２では、ネットワーク装置７０１は、ＨＡＲＱプロセスのためのデータパケットを少なくとも１つのネットワークノード７０２（例えば、ユーザ装置を含む）へ送信する。ステップ９０３では、ネットワークノード７０２は、ネットワーク装置７０１により送信されたＨＡＲＱプロセスのためのデータパケットを受信する。ネットワークノード７０２は、ステップ９０３において、受信したパケットをデコードする。従って、ネットワークノード７０２は、ステップ９０３において、ＰＵＣＣＨ（又は他の適当なチャンネル）を経てネットワーク装置７０１へＨＡＲＱフィードバックを送信して、ハイブリッド自動再送要求ＨＡＲＱ確認割り当てがデータ割り当てに対して所定のタイミングオフセットを有するようにし、データ割り当てに対するハイブリッド自動再送要求ＨＡＲＱ確認のタイミングオフセットは、アップリンク対ダウンリンクの比とは独立して時分割デュープレックスＴＤＤフレームに関して決定される。
【００４４】
図１０は、規範的な実施形態を示すフローチャートである。例えば、ＬＴＥケーパブル（及び／又はＬＴＥ−Ａケーパブル）ベースステーション（ｅＮｏｄｅ−Ｂ、ｅＮＢ）又はＷＬＡＮアクセスポイント（ＡＰ）を含む装置７０１は、ステップ１０１において、１つのリンク方向に対するリンク独立のハイブリッド自動再送要求ＨＡＲＱエンティティを定義する。その定義されるエンティティは、アップリンク及びダウンリンクデータの１つ以上に対するリソース割り当てを備え、そのリソース割り当ては、プロセス識別を有する少なくとも１つのハイブリッド自動再送要求ＨＡＲＱプロセスを含み、各ＨＡＲＱプロセスは、独特のＨＡＲＱ識別を有し；更に、リソース割り当てに対して所定のタイミングオフセットを有するデータ割り当てを備え；更に、データ割り当てに対して所定のタイミングオフセットを有するハイブリッド自動再送要求ＨＡＲＱ確認割り当てを備え、データ割り当てに対するハイブリッド自動再送要求ＨＡＲＱ確認のタイミングオフセットは、アップリンク対ダウンリンクの比とは独立して時分割デュープレックスＴＤＤフレームに関して決定される。従って、ネットワーク装置７０１は、適用されるべきＨＡＲＱエンティティを定義し、そしてその定義に基づいてデータ送信及び受信を遂行する。従って、ステップ１０２では、ネットワーク装置７０１は、ＨＡＲＱプロセスのためのデータパケットを少なくとも１つのネットワークノード７０２（例えば、ユーザターミナルＵＥのようなネットワークノード）へ送信する。ステップ１０３では、ネットワーク装置７０１は、ＰＵＣＣＨにおいてフィードバックを受け取り、ハイブリッド自動再送要求ＨＡＲＱ確認割り当てがデータ割り当てに対して指定のタイミングオフセットを有するようにし、データ割り当てに対するハイブリッド自動再送要求ＨＡＲＱ確認のタイミングオフセットは、アップリンク対ダウンリンクの比とは独立して時分割デュープレックスＴＤＤフレームに関して決定される。
【００４５】
図１１は、規範的な実施形態を示すフローチャートである。例えば、ネットワーク要素（ネットワークノード、例えば、ユーザターミナルＵＥ）を含む装置７０２は、ステップ１１１において、ＨＡＲＱプロセスに関連したデータパケットを受け取り、リンク独立のハイブリッド自動再送要求ＨＡＲＱエンティティが１つのリンク方向に対して定義され、そのエンティティは、アップリンク及びダウンリンクデータの１つ以上に対してリソース割り当てを備え、そのリソース割り当ては、プロセス識別を有する少なくとも１つのハイブリッド自動再送要求ＨＡＲＱプロセスを含み、各ＨＡＲＱプロセスは、独特のＨＡＲＱ識別を有し；更に、リソース割り当てに対して所定のタイミングオフセットを有するデータ割り当てを備え；更に、データ割り当てに対して所定のタイミングオフセットを有するハイブリッド自動再送要求ＨＡＲＱ確認割り当てを備え、データ割り当てに対するハイブリッド自動再送要求ＨＡＲＱ確認のタイミングオフセットは、アップリンク対ダウンリンクの比とは独立して時分割デュープレックスＴＤＤフレームに関して決定される。ステップ１１２において、ネットワーク要素７０２は、ステップ１１２において、更に別の装置７０１（例えば、ＬＴＥケーパブル（又はＬＴＥ−Ａケーパブル）ベースステーション（ｅＮｏｄｅ−Ｂ、ｅＮＢ）又はＷＬＡＮアクセスポイント（ＡＰ）を含む）に、ＨＡＲＱプロセスに関連したフィードバックを与え、ハイブリッド自動再送要求ＨＡＲＱ確認割り当てがデータ割り当てに対して所定のタイミングオフセットを有するようにし、データ割り当てに対するハイブリッド自動再送要求ＨＡＲＱ確認のタイミングオフセットは、アップリンク対ダウンリンクの比とは独立して時分割デュープレックスＴＤＤフレームに関して決定される。
【００４６】
装置対装置の状況の場合には、ネットワーク装置７０１は、ベースステーションに代わってユーザターミナルを含むことに注意されたい。同様に、ＡＰ／ｅＮＢ間の直接的通信の場合には、ネットワーク装置７０２は、ユーザターミナルに代わってベースステーション（又はアクセスポイント）を含む。
【００４７】
図１から１１について上述したステップ／ポイント、シグナリングメッセージ及び関連機能は、絶対的な時間順序ではなく、ステップ／ポイントの幾つかは、同時に行われてもよく又は所定の順序とは異なる順序で行われてもよい。又、ステップ／ポイント間で又はステップ／ポイント内で他の機能が実行されてもよく、そして図示されたメッセージ間で他のシグナリングメッセージが送信されてもよい。又、ステップ／ポイントの幾つか又はステップ／ポイントの一部分が省かれてもよいし、或いは対応するステップ／ポイント、又はステップ／ポイントの一部分に置き換えられてもよい。装置の動作は、１つ以上の物理的又は論理的エンティティで実施される手順を示す。シグナリングメッセージは、例示に過ぎず、同じ情報を送信するための多数の個別のメッセージを含んでもよい。加えて、メッセージは、他の情報を含んでもよい。
【００４８】
従って、規範的な実施形態によれば、通信システムのハイブリッド自動再送要求ＨＡＲＱシグナリングのための方法において、１つのリンク方向に対するリンク独立のハイブリッド自動再送要求ＨＡＲＱエンティティを通信装置内で定義することを含み、その定義されるエンティティは、順方向リンク及び逆方向リンクデータの１つ以上に対するリソース割り当てを備え、そのリソース割り当ては、プロセス識別を有する少なくとも１つのハイブリッド自動再送要求ＨＡＲＱプロセスを含み、各ハイブリッド自動再送要求ＨＡＲＱプロセスは、独特のＨＡＲＱ識別を有するものであり；更に、リソース割り当てに対して所定のタイミングオフセットを有するデータ割り当てを備え；更に、データ割り当てに対して所定のタイミングオフセットを有するハイブリッド自動再送要求ＨＡＲＱ確認割り当てを備え、データ割り当てに対するハイブリッド自動再送要求ＨＡＲＱ確認のタイミングオフセットは、順方向リンク対逆方向リンクの比とは独立して時分割デュープレックスＴＤＤフレームに関して決定される、方法が提供される。
【００４９】
別の規範的な実施形態によれば、一方がアップリンクＨＡＲＱを表わすエンティティで且つ他方がダウンリンクＨＡＲＱである２つのハイブリッド自動再送要求ＨＡＲＱエンティティを結合することにより１つのホップに対してリンク独立のハイブリッド自動再送要求ＨＡＲＱエンティティを装置内で定義するための方法が提供される。
【００５０】
更に別の規範的な実施形態によれば、融通性のある時分割デュープレックスＴＤＤコンフィギュレーションの上にＦＤＤのようなハイブリッド自動再送要求ＨＡＲＱを装置内で構築するための方法が提供される。
【００５１】
更に別の規範的な実施形態によれば、順方向リンクＨＡＲＱプロセス及び逆方向リンクＨＡＲＱプロセスを各フレームに非同期で含ませることができるようにハイブリッド自動再送要求ＨＡＲＱプロセスを装置内で定義するための方法が提供される。
【００５２】
更に別の規範的な実施形態によれば、順方向リンクＨＡＲＱコントロール信号及び逆方向リンクＨＡＲＱコントロール信号と、順方向リンクデータ信号及び逆方向リンクデータ信号が単一の時分割デュープレックスＴＤＤフレームに含まれるようにハイブリッド自動再送要求ＨＡＲＱエンティティを装置内で構築する方法が提供される。
【００５３】
更に別の規範的な実施形態によれば、各ホップがそれ自身の実行の１つ以上のＨＡＲＱループを有するようにＨＡＲＱエンティティを連鎖化することにより複数のホップに対してリンク独立のハイブリッド自動再送要求ＨＡＲＱエンティティを装置内で定義するための方法であって、各ノードが、当該リンクを経てＨＡＲＱをサポートするのに必要なコントロールシグナリングを送信する能力を有するようにした方法が提供される。
【００５４】
更に別の規範的な実施形態によれば、利用可能なＨＡＲＱプロセスの最大数は、シグナリング及び実施の制約に基づいて定義される。
【００５５】
更に別の規範的な実施形態によれば、データ割り当てに対するハイブリッド自動再送要求ＨＡＲＱ確認のタイミングオフセットは、アップリンク及びダウンリンクに対して異なる仕方でセットされる。
【００５６】
更に別の規範的な実施形態によれば、単一フレームに１つ以上のＨＡＲＱプロセスを装置内で割り当てるための方法が提供される。
【００５７】
更に別の規範的な実施形態によれば、少なくとも１つのプロセッサと、コンピュータプログラムコードを含む少なくとも１つのメモリとを備えた装置において、その少なくとも１つのメモリ及びコンピュータプログラムコードは、少なくとも１つのプロセッサとで、その装置が、１つのリンク方向に対するリンク独立のハイブリッド自動再送要求ＨＡＲＱエンティティを定義するようにさせるよう構成され、その定義されるエンティティは、順方向リンク及び逆方向リンクデータの１つ以上に対するリソース割り当てを備え、そのリソース割り当ては、プロセス識別を有する少なくとも１つのハイブリッド自動再送要求ＨＡＲＱプロセスを含み、各ハイブリッド自動再送要求ＨＡＲＱプロセスは、独特のＨＡＲＱ識別を有するものであり；更に、リソース割り当てに対して所定のタイミングオフセットを有するデータ割り当てを備え；更に、データ割り当てに対して所定のタイミングオフセットを有するハイブリッド自動再送要求ＨＡＲＱ確認割り当てを備え、データ割り当てに対するハイブリッド自動再送要求ＨＡＲＱ確認のタイミングオフセットは、順方向リンク対逆方向リンクの比とは独立して時分割デュープレックスＴＤＤフレームに関して決定される、装置が提供される。
【００５８】
更に別の規範的な実施形態によれば、前記少なくとも１つのメモリ及びコンピュータプログラムコードは、前記少なくとも１つのプロセッサとで、前記装置が、一方が順方向リンクＨＡＲＱを表わすエンティティで且つ他方が逆方向リンクＨＡＲＱである２つのハイブリッド自動再送要求ＨＡＲＱエンティティを結合することにより１つのホップに対してリンク独立のハイブリッド自動再送要求ＨＡＲＱエンティティを定義するようにさせるよう構成される。
【００５９】
更に別の規範的な実施形態によれば、前記少なくとも１つのメモリ及びコンピュータプログラムコードは、前記少なくとも１つのプロセッサとで、前記装置が、融通性のある時分割デュープレックスＴＤＤコンフィギュレーションの上にＦＤＤのようなハイブリッド自動再送要求ＨＡＲＱを構築するようにさせるよう構成される。
【００６０】
更に別の規範的な実施形態によれば、前記少なくとも１つのメモリ及びコンピュータプログラムコードは、前記少なくとも１つのプロセッサとで、前記装置が、順方向リンクＨＡＲＱプロセス及び逆方向リンクＨＡＲＱプロセスを各フレームに非同期で含ませることができるようにハイブリッド自動再送要求ＨＡＲＱプロセスを定義するようにさせるよう構成される。
【００６１】
更に別の規範的な実施形態によれば、前記少なくとも１つのメモリ及びコンピュータプログラムコードは、前記少なくとも１つのプロセッサとで、前記装置が、順方向リンクＨＡＲＱコントロール信号及び逆方向リンクＨＡＲＱコントロール信号と、順方向リンクデータ信号及び逆方向リンクデータ信号が単一の時分割デュープレックスＴＤＤフレームに含まれるようにハイブリッド自動再送要求ＨＡＲＱエンティティを構築するようにさせるよう構成される。
【００６２】
更に別の規範的な実施形態によれば、前記少なくとも１つのメモリ及びコンピュータプログラムコードは、前記少なくとも１つのプロセッサとで、前記装置が、各ホップがそれ自身の実行の１つ以上のＨＡＲＱループを有するようにＨＡＲＱエンティティを連鎖化することにより複数のホップに対してリンク独立のハイブリッド自動再送要求ＨＡＲＱエンティティを定義するようにさせるよう構成され、各ノードは、当該リンクを経てＨＡＲＱをサポートするのに必要なコントロールシグナリングを送信する能力を有する。
【００６３】
更に別の規範的な実施形態によれば、前記少なくとも１つのメモリ及びコンピュータプログラムコードは、前記少なくとも１つのプロセッサとで、前記装置が、利用可能なＨＡＲＱプロセスの最大数をシグナリング及び実施の制約に基づいて定義するようにさせるよう構成される。
【００６４】
更に別の規範的な実施形態によれば、前記少なくとも１つのメモリ及びコンピュータプログラムコードは、前記少なくとも１つのプロセッサとで、前記装置が、データ割り当てに対するハイブリッド自動再送要求ＨＡＲＱ確認のタイミングオフセットを、アップリンク及びダウンリンクに対して異なる仕方でセットするようにさせるよう構成される。
【００６５】
更に別の規範的な実施形態によれば、前記少なくとも１つのメモリ及びコンピュータプログラムコードは、前記少なくとも１つのプロセッサとで、前記装置が、単一フレームに１つ以上のＨＡＲＱプロセスを割り当てるようにさせるよう構成される。
【００６６】
更に別の規範的な実施形態によれば、少なくとも１つのプロセッサと、コンピュータプログラムコードを含む少なくとも１つのメモリとを備えたユーザターミナルにおいて、その少なくとも１つのメモリ及びコンピュータプログラムコードは、少なくとも１つのプロセッサとで、そのユーザターミナルが、１つのリンク方向に定義されたリンク独立のハイブリッド自動再送要求ＨＡＲＱエンティティに関連したフィードバックを受け取り及び与えるようにさせるよう構成され、そのエンティティは、順方向リンク及び逆方向リンクデータの１つ以上に対するリソース割り当てを備え、そのリソース割り当ては、プロセス識別を有する少なくとも１つのハイブリッド自動再送要求ＨＡＲＱプロセスを含み、各ハイブリッド自動再送要求ＨＡＲＱプロセスは、独特のＨＡＲＱ識別を有するものであり；更に、リソース割り当てに対して所定のタイミングオフセットを有するデータ割り当てを備え；更に、データ割り当てに対して所定のタイミングオフセットを有するハイブリッド自動再送要求ＨＡＲＱ確認割り当てを備え、データ割り当てに対するハイブリッド自動再送要求ＨＡＲＱ確認のタイミングオフセットは、順方向リンク対逆方向リンクの比とは独立して時分割デュープレックスＴＤＤフレームに関して決定される、ユーザターミナルが提供される。
【００６７】
更に別の規範的な実施形態によれば、コンピュータにおいてプログラムが実行されるとき前記方法ステップのいずれか１つを遂行するようにされたプログラムコード手段を含むコンピュータプログラム製品が提供される。
【００６８】
当業者であれば、技術の進歩に伴い、本発明の概念を種々の仕方で実施できることが明らかであろう。本発明及びその実施形態は、上述した例に限定されず、特許請求の範囲内で変更することができる。
【００６９】
略語のリスト
ＡＣＫ          確認
ＡＲＱ          自動再送要求
ＣＰ            繰り返しプレフィックス
ＤＬ            ダウンリンク
ｅＮＢ          エンハンストノードＢ
ＦＤＤ          周波数分割デュープレックス
ＨＡＲＱ        ハイブリッドＡＲＱ
ＬＴＥ          長期進化
ＬＴＥ−Ａ      ＬＴＥアドバンスト
ＮＡＣＫ        否定確認
ＰＨＩＣＨ      物理的ＨＡＲＱインジケータチャンネル
ＰＵＣＣＨ      物理的アップリンクコントロールチャンネル
ＰＵＳＣＨ      物理的アップリンク共有チャンネル
ＴＤＤ          時分割デュープレックス
ＵＬ            アップリンク
ＢＬＥＲ        ブロックエラー比
ＩＤ            識別
ｔｘ            送信器
ｒｘ            受信器
Ｄ２Ｄ          装置対装置
ＡＰ２ＡＰ      アクセスポイントへのアクセス
【符号の説明】
【００７０】
７０１：ネットワーク装置
７０２：ユーザ装置
７０３：接続
８０４：アンテナポート
８０１、８０６：コントローラ
８０２、８０７：メモリ
８０３、８０８：トランシーバ
８０５、８０９：アンテナ構成体
【図１ａ）】
2015517264.tif 000003
【図１ｂ）】
2015517264.tif 000004
【図２】
2015517264.tif 000005
【図３】
2015517264.tif 000006
【図４】
2015517264.tif 000007
【図５】
2015517264.tif 000008
【図６】
2015517264.tif 000009
【図７】
2015517264.tif 000010
【図８】
2015517264.tif 000011
【図９】
2015517264.tif 000012
【図１０】
2015517264.tif 000013
【図１１】
2015517264.tif 000014
【国際調査報告】
2015517264.tif 000015
2015517264.tif 000016
2015517264.tif 000017